(57)【要約】【課題】情報データの取得状況の把握を容易にする情報受信通知装置及び情報受信通知方法を提供する。【解決手段】情報受信通知装置１は、情報データを変調して生成された可聴音域の変調信号と、音声信号とが合成された合成音声を受信して、合成音声に含まれる変調信号を復調して情報データを取得する装置において、情報データの取得状況を判断するデータ取得状況判断部１４と、データ取得状況判断部１４が判断した取得状況が所定の取得状況に該当するときに、所定の通知音を出力する通知音出力部２５とを備えることを特徴とする。このため、ユーザは、容易に情報データの取得状況を把握することができる。【選択図】図１
2011076111.tif 000002
【特許請求の範囲】
【請求項１】
情報データを変調して生成された可聴音域の変調信号と、音声信号とが合成された合成音声を受信して、該合成音声に含まれる前記変調信号を復調して前記情報データを取得する装置において、
前記情報データの取得状況を判断するデータ取得状況判断手段と、
前記データ取得状況判断手段が判断した前記取得状況が所定の取得状況に該当するときに、所定の通知音を出力する通知音出力手段とを備え、
前記情報データは、複数のフレームデータから構成されており、
前記通知音出力手段は、前記データ取得状況判断手段が既に取得したフレームデータと同一のフレームデータの取得を判断したときに、取得失敗の旨を通知するための通知音を出力する
ことを特徴とする情報受信通知装置。
【請求項２】
１以上の通知音を予め記憶している通知音記憶手段をさらに備え、
前記通知音出力手段は、前記通知音記憶手段が記憶している通知音を前記所定の通知音として出力すること
を特徴とする請求項１に記載の情報受信通知装置。
【請求項３】
前記通知音出力手段は、前記データ取得状況判断手段が前記情報データの取得開始を判断したときに、取得開始の旨を通知するための通知音を出力すること
を特徴とする請求項１または２に記載の情報受信通知装置。
【請求項４】
前記通知音出力手段は、前記データ取得状況判断手段が前記情報データの取得完了を判断したときに、取得完了の旨を通知するための通知音を出力すること
を特徴とする請求項１〜３のいずれか１項に記載の情報受信通知装置。
【請求項５】
前記通知音出力手段は、前記データ取得状況判断手段が前記情報データの取得失敗を判断したときに、取得失敗の旨を通知するための通知音を出力すること
を特徴とする請求項１〜４のいずれか１項に記載の情報受信通知装置。
【請求項６】
情報データを変調して生成された可聴音域の変調信号と、音声信号とが合成された合成音声を受信して、該合成音声に含まれる該変調信号を復調して情報データを取得する装置における情報受信通知方法であって、
前記情報データの取得状況を判断するデータ取得状況判断ステップと、
前記データ取得状況判断ステップにおいて判断された前記取得状況が所定の取得状況に該当するときに、所定の通知音を出力する通知音出力ステップとを有し、
前記情報データは、複数のフレームデータから構成されており、
前記データ取得状況判断ステップにおいて、既に取得したフレームデータと同一のフレームデータの取得を判断したときに、
前記通知音出力ステップにおいて、取得失敗の旨を通知するための通知音を出力する
ことを特徴とする情報受信通知方法。
【発明の詳細な説明】
【技術分野】
【０００１】
本発明は、情報受信通知装置及び情報受信通知方法に関する。
【背景技術】
【０００２】
音声を用いて情報を伝達する技術として、情報データを変調して生成された可聴音域の変調信号と、音楽等の音声信号とを合成した合成音声を用いるものがある（例えば、特許文献１）。この合成音声は、音声信号の一部の周波数帯域の信号を除去して、この除去した帯域に変調信号を合成して生成される。情報データの変調には、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調技術が用いられる。この合成音声をマイクロフォンにより受信した受信装置は、合成音声に含まれる変調信号を復調して情報データを得ることができる。
【先行技術文献】
【特許文献】
【０００３】
【特許文献１】特開２００７−１０４５９８号公報
【発明の概要】
【発明が解決しようとする課題】
【０００４】
この技術は、例えばテレビ放送やラジオ放送等の音声及び商店等における店内放送の音声を媒体として情報データをユーザに伝達するために用いられることが想定される。これらの音声は、ユーザが所持する受信装置により受信され、ユーザは、復調された情報データを得ることができる。このような受信環境では、この音声自体がユーザに知覚されることを阻害しないように、変調信号は、人間の聴覚では知覚されにくい周波数帯域に設定される。従って、聞こえている音声の中に情報データが含まれているのか否かをユーザが判断することが困難である。また、受信装置による情報データの取得状況の把握が困難である。
【０００５】
そこで、本発明は、上記問題点を解決し、情報データの取得状況の把握を容易にする情報受信通知装置及び情報受信通知方法を提供することを目的とする。
【課題を解決するための手段】
【０００６】
上記課題を解決するために、本発明の情報受信通知装置は、情報データを変調して生成された可聴音域の変調信号と、音声信号とが合成された合成音声を受信して、該合成音声に含まれる変調信号を復調して情報データを取得する装置において、情報データの取得状況を判断するデータ取得状況判断手段と、データ取得状況判断手段が判断した取得状況が所定の取得状況に該当するときに、所定の通知音を出力する通知音出力手段とを備え、情報データは、複数のフレームデータから構成されており、通知音出力手段は、データ取得状況判断手段が既に取得したフレームデータと同一のフレームデータの取得を判断したときに、取得失敗の旨を通知するための通知音を出力することを特徴とする。
【０００７】
また、上記課題を解決するために、本発明の情報受信通知方法は、情報データを変調して生成された可聴音域の変調信号と、音声信号とが合成された合成音声を受信して、該合成音声に含まれる該変調信号を復調して情報データを取得する装置における情報受信通知方法であって、情報データの取得状況を判断するデータ取得状況判断ステップと、データ取得状況判断ステップにおいて判断された取得状況が所定の取得状況に該当するときに、所定の通知音を出力する通知音出力ステップとを有し、情報データは、複数のフレームデータから構成されており、データ取得状況判断ステップにおいて、既に取得したフレームデータと同一のフレームデータの取得を判断したときに、通知音出力ステップにおいて、取得失敗の旨を通知するための通知音を出力することを特徴とする。
【０００８】
本発明の情報受信通知装置及び情報受信通知方法では、情報データの取得状況が所定の取得状況に該当する場合には、所定の通知音が出力されるので、ユーザは、容易に情報データの取得状況を把握することができる。
【０００９】
また、本発明によれば、ユーザが所持する情報受信通知装置に合成音声が受信される可能性を高めるために、同一の情報データから生成された変調信号が繰り返して送信されることがある。同一の変調信号が繰り返し送信される場合において、情報データを分割して生成した複数のフレームデータのすべてを取得していないときに、既に取得したフレームデータと同一のフレームデータを取得したことは、取得に失敗したフレームデータが存在することを意味する。この構成によれば、同一のフレームデータを重複して受信したときに、通知音が出力されるので、ユーザは、情報データの取得に失敗したことを認識することができる。
【００１０】
また、本発明の情報受信通知装置は、１以上の通知音を予め記憶している通知音記憶手段をさらに備え、通知音出力手段は、通知音記憶手段が記憶している通知音を所定の通知音として出力することを特徴とする。この構成によれば、予め装置が備えている通知音が出力されるので、ユーザは容易に情報データの取得状況を把握することができる。
【００１１】
また、本発明の情報受信通知装置では、通知音出力手段は、データ取得状況判断手段が情報データの取得開始を判断したときに、取得開始の旨を通知するための通知音を出力することを特徴とする。この構成によれば、情報データの取得が開始された時にその旨を通知するための通知音が出力されるので、ユーザは、聞こえている音声の中に情報データが含まれていることを認識できる。
【００１２】
また、本発明の情報受信通知装置では、通知音出力手段は、データ取得状況判断手段が情報データの取得完了を判断したときに、取得完了の旨を通知するための通知音を出力することを特徴とする。この構成によれば、ユーザは情報データの取得が完了したことを認識することができる。
【００１３】
また、本発明の情報受信通知装置では、通知音出力手段は、データ取得状況判断手段が情報データの取得失敗を判断したときに、取得失敗の旨を通知するための通知音を出力することを特徴とする。例えば合成音声の音量が十分でない場合に、情報データの取得に失敗する可能性がある。この構成によれば、ユーザは情報データの取得に失敗したことを認識することができる。その結果、合成音声をより取得しやすい場所に移動することを、ユーザに促すことが可能となる。
【発明の効果】
【００１４】
本発明の情報受信通知装置及び情報受信通知方法では、情報データの取得状況が所定の取得状況に該当する場合には、所定の通知音が出力されるので、情報データの取得状況をユーザに対して容易に把握させることが可能となる。
【図面の簡単な説明】
【００１５】
【図１】情報受信通知装置の機能ブロック図である。
【図２】情報受信通知装置のハードブロック図である。
【図３】情報データを変調して変調信号を生成する際の分割の方法の一例を示す図である。
【図４】合成音声の構成を示す図である。
【図５】情報データの構造の一例を説明する図である。
【図６】嗜好ジャンル記憶部の構造の一例を説明する図である。
【図７】通知音テーブル及び表示画面テーブルの構造の一例を説明する図である。
【図８】通知音データ記憶部及び表示データ記憶部の構造の一例を説明する図である。
【図９】表示部に表示される表示画面の例を、表示パターンごとに示す図である。
【図１０】省略型情報データの形式と、変換テンプレートの例を示す図である。
【図１１】情報受信通知方法の詳細な処理手順を示す図である。
【発明を実施するための形態】
【００１６】
本発明の実施形態に係る情報受信通知装置について図面を参照して説明する。なお、可能な場合には、同一の部分には同一の符号を付して、重複する説明を省略する。
【００１７】
図１は、本実施形態に係る情報受信通知装置１の機能的構成を示すブロック図である。情報受信通知装置１は、機能的には、集音部１０、復調部１１、通知制御部１２、情報データ格納部２１、嗜好ジャンル記憶部２２、通知音テーブル２３、表示画面テーブル２４、通知音出力部２５（通知音出力手段）、通知音データ記憶部２６（通知音記憶手段）、表示制御部２７、表示データ記憶部２８、スピーカ２９及び表示部３０を備えている。また、通知制御部１２は、フレームデータ記憶部１３（データ取得状況判断手段）、データ取得状況判断部１４（データ取得状況判断手段）、プライオリティ判断部１５、データ重複判断部１６、ジャンル判断部１７、録音部１８（録音手段）、通知音判定部１９（通知音出力手段）及び表示画面判定部２０を備えている。
【００１８】
また、図２は、情報受信通知装置１のハードウェア構成図である。情報受信通知装置１は、物理的には、図２に示すように、ＣＰＵ１０１、主記憶装置であるＲＡＭ１０２及びＲＯＭ１０３、ハードディスク、フラッシュメモリ等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。図１において説明した各機能は、図２に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００１９】
情報受信通知装置１は、例えばテレビ放送やラジオ放送等の音声及び商店等における店内放送の音声を媒体として提供される情報データを受信するために用いられる。この情報受信通知装置１は、例えば携帯端末装置等により構成される。以下、図１を用いて、各機能要素について詳細に説明する。
【００２０】
集音部１０は、合成音声を受信する。ここで、図４及び図３を用いて、情報データ及び合成音声について説明する。図３に示す例では、情報データ４０は、所定サイズのフレームデータ４０ａ〜４０ｅに分割される。このフレームデータ４０ａ〜４０ｅを変調して、それぞれ変調フレームデータ４１ａ〜４１ｅが生成される。この変調には、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調技術が用いられる。図４に示すように、合成音声は、音声信号の一部の周波数帯域の信号を除去して、この除去した帯域に変調信号を合成して生成される。この音声信号は、例えば音楽である。変調信号は、情報データを変調して生成される。変調信号は、一定のガード時間を間隔として、データシンボルが時間軸に沿ってＮ回繰り返されて構成されており、このデータシンボルに変調フレームデータ４１ａ〜４１ｅが含まれる。集音部１０は、受信した合成音声を復調部１１及び録音部１８に送出する。
【００２１】
復調部１１は、集音部１０から取得した合成音声から変調信号を抽出し、この変調信号を復調して情報データ４０を得る。図３及び図４の例に沿って具体的に説明すると、まず、復調部１１は、データシンボルから変調フレームデータ４１ａ〜４１ｅを抽出する。続いて、復調部１１は、抽出した変調フレームデータ４１ａ〜４１ｅを復調して、フレームデータ４０ａ〜４０ｅを得る。この復調には、例えばＯＦＤＭ復調方式が用いられる。復調部１１は、得られたフレームデータ４０ａ〜４０ｅをフレームデータ記憶部１３に順次送出する。なお、復調部１１は、変調信号が搬送された搬送波の周波数に関する情報をプライオリティ判断部１５に送出することができる。さらに、復調部１１は、合成音声に含まれる同期信号（図示せず）を検出して復調処理を開始したときに、情報データの取得を開始した旨の信号をデータ取得状況判断部１４に送出することができる。
【００２２】
フレームデータ記憶部１３は、復調部１１から取得したフレームデータ４０ａ〜４０ｅを一時記憶する。各フレームデータは、情報データを構成するフレームデータの個数（分割数）の情報、及び総個数の内の何番目のフレームデータであるのか（ラベル）といった情報を含んでいる。
【００２３】
データ取得状況判断部１４は、フレームデータ記憶部１３を参照して、情報データ４０又はフレームデータ４０ａ〜４０ｅの取得状況を判断し、取得状況の判断の結果を通知音判定部１９に送出する。例えば、フレームデータ記憶部１３にフレームデータ４０ａ〜４０ｅの何らかが最初に記憶された場合には、データ取得状況判断部１４は、情報データの取得開始を判断する。また、復調部１１から情報データ４０の取得を開始した旨の信号を受信した場合にも、データ取得状況判断部１４は、情報データの取得開始を判断することができる。
【００２４】
また、情報データを構成するフレームデータ４０ａ〜４０ｅの個数の情報とフレームデータ記憶部１３に記憶されているフレームデータ４０ａ〜４０ｅのラベルとから、データ取得状況判断部１４は、情報データ４０の取得完了を判断する。例えば、情報データが５個のフレームデータ４０ａ〜４０ｅに分割されており、フレームデータ記憶部１３に全てのフレームデータ４０ａ〜４０ｅが記憶されていた場合には、データ取得状況判断部１４は、情報データ４０の取得完了を判断する。
【００２５】
また、データ取得状況判断部１４は、既に記憶されているフレームデータと同一のフレームデータがフレームデータ記憶部１３に記憶されたときに、情報データ４０の取得失敗を判断する。例えば、図４に示すように、ユーザが所持する情報受信通知装置に合成音声が受信される可能性を高めるために、同一の情報データから生成された変調信号が繰り返して送信されることがある。図４の例では、変調フレームデータ４１ａ〜４１ｅがＮ回繰り返して送信されている。このような場合において、フレームデータ４０ａ〜４０ｅの全てを取得していないときに、既に取得したフレームデータと同一のフレームデータを取得したことは、取得に失敗したフレームデータが存在することを意味する。例えば、フレームデータＡ４０ａ、フレームデータＢ４０ｂ、フレームデータＤ４０ｄ及びフレームデータＥ４０ｅがフレームデータ記憶部１３に記憶されているときに、フレームデータＡ４０ａが復調部１１からフレームデータ記憶部１３に送出された場合には、フレームデータＣ４０ｃの取得に失敗していることを意味するので、データ取得状況判断部１４は、情報データ４０の取得失敗を判断する。なお、一定時間内に取得に失敗したフレームデータ数の閾値を設定して、この閾値を越えた場合に、情報データ４０の取得失敗と判断することも可能である。
【００２６】
データ取得状況判断部１４において、情報データ４０の取得完了が判断された場合には、当該情報データ４０は、情報データ格納部２１に格納される。ここで格納される情報データ４０の構成の例を図５に示す。情報データ４０は、データコンテンツ４０ｆ、ジャンルフラグ４０ｇ及びプライオリティレベル４０ｈを含む。データコンテンツ４０ｆは、例えばテキストデータである。ジャンルフラグ４０ｇは、データコンテンツが属するジャンルを表すフラグである。プライオリティレベル４０ｈは、情報受信通知装置１におけるデータコンテンツ４０ｆの表示のさせ方を制御するための情報である。情報受信通知装置１では、プライオリティレベル４０ｈに従って、データコンテンツの表示が行われる。
【００２７】
プライオリティ判断部１５は、情報データのプライオリティレベルを抽出し、抽出したプライオリティレベルを通知音判定部１９及び表示画面判定部２０に送出する。このため、表示画面判定部２０では、例えばユーザに伝達される情報データ４０の緊急性に応じた表示画面の選択が行われ、通知音判定部１９では、情報データのプライオリティレベルに応じた通知音の選択が行われる。また、情報データ４０のプライオリティレベルに応じた周波数の搬送波により変調信号が送信されるような構成においては、プライオリティ判断部１５は、復調部１１から送出された搬送波の周波数に関する情報から、プライオリティレベルを抽出することができる。
【００２８】
データ重複判断部１６は、取得した情報データ４０と、情報データ格納部２１に既に格納されている情報データ４０との重複を判断する。この判断は、取得した情報データ４０と格納されている情報データ４０とのテキストマッチング、及び情報データ４０が有する識別ＩＤ（図示せず）のマッチング等により行われる。情報データ４０の重複があった場合には、取得した情報データ４０は破棄される。このため、情報データ格納部２１の記憶容量が無駄に使用されることが防止される。なお、情報データ格納部２１では、一定期間に取得された情報データ４０が格納されている。
【００２９】
ジャンル判断部１７は、取得した情報データ４０に含まれるジャンルフラグ４０ｇが、嗜好ジャンル記憶部２２に記憶されているジャンルフラグに合致するか否かを判断する。嗜好ジャンル記憶部２２には、ユーザが嗜好するジャンルに対応するフラグが予め記憶されている。嗜好ジャンル記憶部２２の例を図６に示す。図６に示す嗜好ジャンル記憶部２２には、ユーザの嗜好するジャンルのフラグとして、３（音楽）、７（自動車）及び９（ブランド品）が記憶されている。取得した情報データ４０に含まれるジャンルフラグが、嗜好ジャンル記憶部２２に記憶されているジャンルフラグに合致しない場合には、取得した情報データは破棄される。
【００３０】
録音部１８は、集音部１０から送出された合成音声に含まれる音声信号を録音する。ここでは、変調信号をも含む合成信号を録音することとしてもよいし、バンドパスフィルタを用いて合成音声から音声信号のみを抽出して録音することとしてもよい。録音部１８は、録音した音声信号を通知音データ記憶部２６に記憶させる。この音声信号は、通知音として用いられる。
【００３１】
通知音判定部１９は、通知音テーブル２３を参照して、データ取得状況判断部１４から送出された情報データの取得状況に基づいて通知音を選択する。通知音テーブル２３の例を図７（ａ）に示す。例えば、情報データの取得状況が「取得開始」である場合には、通知音として「アラーム１」が選択される。また、情報データの取得状況が「取得完了」である場合には、通知音として「録音音声」が選択される。この「録音音声」は、録音部１８により録音された音声信号を示す。通知音判定部１９は、選択された通知音の情報及び通知音出力の指示を通知音出力部２５に送出する。
【００３２】
また、通知音判定部１９は、プライオリティ判断部１５から送出されたプライオリティレベルに基づいて、情報データの取得完了時の通知音を選択することができる。この場合には、通知音テーブル２３において、予めプライオリティレベルと通知音との対応付けを記憶しておくことにより、通知音判定部１９は、プライオリティレベルに基づいて、通知音を選択する。
【００３３】
表示画面判定部２０は、表示画面テーブル２４を参照して、プライオリティ判断部１５から送出されたプライオリティレベルに基づいて、表示画面の表示パターンを選択する。表示画面テーブル２４の例を図７（ｂ）に示す。例えば、プライオリティレベルが「レベル１」である場合には、表示パターンとして「パターン１」が選択される。表示画面判定部２０は、選択された表示パターンの情報を表示制御部２７に送出する。
【００３４】
通知音出力部２５は、通知音判定部１９から送出された通知音の情報に基づいて、通知音データ記憶部２６から通知音のデータを抽出し、抽出した通知音のデータによりスピーカ２９に通知音を出力させる。通知音データ記憶部２６の一例を図８（ａ）に示す。図８（ａ）に示す例では、通知音データ記憶部２６は、通知音のデータとして「アラーム１」、「アラーム２」及び「録音音声」を記憶している。「アラーム１」及び「アラーム２」は、通知音データ記憶部２６に予め記憶されていたデータである。「録音音声」は、録音部１８が録音した音声信号である。
【００３５】
表示制御部２７は、表示画面判定部２０から送出された表示パターンの情報に基づいて、表示データ記憶部２８から表示パターンのデータを抽出し、抽出した表示パターンと取得した情報データとを併せて表示部３０に表示させる。表示データ記憶部２８の一例を図８（ｂ）に示す。図８（ｂ）に示す例では、表示データ記憶部２８は、表示パターンのデータとして「パターン１」、「パターン２」及び「パターン３」を記憶している。
【００３６】
続いて、図９を用いて、情報データを取得したときの表示動作について説明する。ここでは、図９（ａ）に示すように、「このお店の店長からのお知らせです」というテキストデータと、「＜ａ  ｈｒｅｆ＝“ｈｔｔｐ：／／ＸＸＸＸ．ＹＹＹ”＞」というＵＲＬ情報を含むタグデータとを情報データとして取得したものとする。例えば、表示パターンとして「パターン１」が選択された場合には、図９（ｂ）に示すような画面が表示部３０に表示される。図９（ｂ）の例では、テキストデータの内容とＵＲＬ情報とがポップアップされて表示される。また、例えば、表示パターンとして「パターン２」が選択された場合には、図９（ｃ）に示すような画面が表示部３０に表示される。図９（ｃ）の例では、テキストデータの内容が顔型のキャラクタと併せて表示される。この画面が表示されたときにユーザが所定の操作を行うことにより、図９（ｄ）に示すような画面が表示される。図９（ｄ）に示す画面の例では、テキストデータの内容とＵＲＬ情報とが表示部３０に表示される。また、例えば、表示パターンとして「パターン３」が選択された場合には、図９（ｅ）に示すような画面が表示部３０に表示される。図９（ｅ）の例では、情報データを取得したことを示す星型のアイコンが画面上部に表示され、テキストデータの内容が画面下部に横方向にスクロールされながら表示される。この画面が表示されたときにユーザが所定の操作を行うことにより、図９（ｆ）に示すような画面が表示される。図９（ｆ）に示す画面の例では、テキストデータの内容とＵＲＬ情報とが表示部３０に表示される。
【００３７】
次に、送信される情報データの省略方法について説明する。ＯＦＤＭ変調した音声信号によるデータ伝送では、大量のデータを伝送するのに十分な伝送速度が達成されない場合がある。そこで、所定の規則に従って省略された省略型情報データを伝送することとし、情報データを受信した情報受信通知装置１が省略型情報データを所定の規則に従って復元するような構成を採ることが可能である。この場合には、情報受信通知装置１は、情報データ復元部（図示せず）を備える。情報データ復元部は、省略型情報データから情報データを復元するための変換テーブルを有する。図１０に、この変換テーブルの例を示す。変換テーブルは、省略型情報データの形式と、情報データを復元するための変換テンプレートとを対応付けて記憶している。情報データ復元部は、情報データ格納部２１から省略型情報データを取得し、変換テンプレートを用いて情報データを復元する。例えば、「＜ｉＢＴ：ＸＸＸＸ．ＹＹＹ＞」という形式の省略型情報データを取得した場合には、情報データ復元部は、変換テンプレートに従って、「「＜ａ  ｈｒｅｆ＝“ｈｔｔｐ：／／ＸＸＸＸ．ＹＹＹ”＞」のようなＵＲＬ情報を含む情報データ復元することができる。情報データ復元部は、復元した情報データを表示制御部２７に送出する。
【００３８】
続いて、本発明の実施形態にかかる情報受信通知装置１の動作ついて説明する。図１１は、情報受信通知装置１により行われる情報受信通知方法の処理手順を示す図である。
【００３９】
まず、情報受信通知装置１は、情報データの取得機能を起動する（Ｓ１）。この取得機能は常時起動されていることとしてもよいが、情報受信通知装置１の電力の消耗に鑑みて、所定の契機に起動されることとしてもよい。例えば、情報受信通知装置１が携帯電話により構成される場合には、液晶表示部のバックライト点灯時または何らかの操作入力が行われた時に、情報データの取得機能が起動されるように構成することが可能である。また、情報受信通知装置１が折り畳み型の携帯電話である場合には、畳まれていた装置が開かれた時に、情報データの取得機能が起動されるように構成することも可能である。
【００４０】
続いて、集音部１０は、合成音声を集音し、集音した合成音声を復調部１１及び録音部１８に送出する（Ｓ２）。合成音声を取得した復調部１１は、合成音声から変調信号を抽出し、この変調信号を復調して情報データ（フレームデータ）の取得を試みる。ここで取得された情報データは、フレームデータ記憶部１３に記憶される。
【００４１】
データ取得状況判断部１４は、フレームデータ記憶部１３を参照して、情報データ又はフレームデータの取得状況を判断し、フレームデータ記憶部１３に何らかのフレームデータが最初に記憶された場合には、データ取得状況判断部１４は、情報データの取得開始を判断する（Ｓ３）。情報データの取得開始が判断された場合には、その旨が通知音判定部１９に送出される。情報データの取得開始が判断されなかった場合には、処理手順はステップＳ２に戻される。また、復調部１１から情報データの取得を開始した旨の信号を受信した場合にも、データ取得状況判断部１４は、情報データの取得開始を判断することができる。
【００４２】
情報データの取得開始の旨の信号を取得した通知音判定部１９は、通知音テーブル２３を参照して通知音を選択し、選択した通知音の情報及び通知音出力の指示を通知音出力部２５に送出する。通知音出力部２５は、通知音判定部１９から送出された通知音の情報に基づいて、通知音データ記憶部２６から情報データの取得開始の旨を通知するための通知音のデータを抽出し、抽出した通知音のデータによりスピーカ２９に通知音を出力させる（Ｓ４）。
【００４３】
フレームデータ記憶部１３には、引き続きフレームデータが記憶される（Ｓ５）。データ取得状況判断部１４がフレームデータの取得失敗を判断した場合には（Ｓ６）、その旨が通知音判定部１９に送出される。情報データの取得失敗の旨の信号を取得した通知音判定部１９は、通知音テーブル２３を参照して通知音を選択し、選択した通知音の情報及び通知音出力の指示を通知音出力部２５に送出する。通知音出力部２５は、通知音判定部１９から送出された通知音の情報に基づいて、通知音データ記憶部２６から情報データの取得失敗の旨を通知するための通知音のデータを抽出し、抽出した通知音のデータによりスピーカ２９に通知音を出力させる（Ｓ７）。
【００４４】
一方、データ取得状況判断部１４がフレームデータの取得失敗を判断することなく（Ｓ６）、フレームデータの取得完了を判断した場合には（Ｓ８）、情報データの取得完了の旨が通知音判定部１９に送出され、処理手順は、ステップＳ９に進められる。ここで、情報データの取得完了を判断しなかった場合には、処理手順は、ステップＳ５に戻される。
【００４５】
データ重複判断部１６は、取得した情報データと、情報データ格納部２１に既に格納されている情報データとの重複を判断する（Ｓ９）。情報データの重複があった場合には、取得した情報データは破棄される（Ｓ１１）。
【００４６】
続いて、ジャンル判断部１７は、取得した情報データに含まれるジャンルフラグが、嗜好ジャンル記憶部２２に記憶されているジャンルフラグに合致するか否かを判断する（Ｓ１０）。取得した情報データに含まれるジャンルフラグが、嗜好ジャンル記憶部２２に記憶されているジャンルフラグに合致しない場合には、取得した情報データは破棄される（Ｓ１１）。
【００４７】
情報データの取得完了の旨の信号を取得した通知音判定部１９は、通知音テーブル２３を参照して通知音を選択し、選択した通知音の情報及び通知音出力の指示を通知音出力部２５に送出する。また、プライオリティレベルに基づいて、情報データの取得完了時の通知音を選択する構成である場合には、通知音判定部１９は、取得したプライオリティレベルに基づいて、通知音テーブル２３を参照して通知音を選択する。通知音出力部２５は、通知音判定部１９から送出された通知音の情報に基づいて、通知音データ記憶部２６から情報データの取得完了の旨を通知するための通知音のデータを抽出し、抽出した通知音のデータによりスピーカ２９に通知音を出力させる（Ｓ１２）。
【００４８】
さらに、表示画面判定部２０は、表示画面テーブル２４を参照して、プライオリティ判断部１５から送出されたプライオリティレベルに基づいて、表示画面の表示パターンを選択する。表示画面判定部２０は、選択された表示パターンの情報を表示制御部２７に送出する。表示制御部２７は、表示画面判定部２０から送出された表示パターンの情報に基づいて、表示データ記憶部２８から表示パターンのデータを抽出し、抽出した表示パターンと取得した情報データとを併せて表示部３０に表示させる（Ｓ１２）。
【００４９】
続いて、以上説明した実施形態に係る情報受信通知装置１の作用効果について説明する。実施形態に係る情報受信通知装置１においては、データ取得状況判断部１４が、フレームデータ記憶部１３に記憶されるフレームデータ（情報データ）の取得状況を判断し、この取得状況が所定の取得状況に該当する場合には、通知音出力部２５は、所定の通知音が出力するので、ユーザは、容易に情報データの取得状況を把握することができる。
【００５０】
また、実施形態に係る情報受信通知装置１では、録音部１８が情報データ４０の伝達媒体となっている音声信号を録音し、通知音出力部２５は、録音された音声信号を通知音として用いることができる。このため、合成音声に含まれる音声信号を聴覚により知覚した後に、このユーザは、通知音として情報受信通知装置１から出力される音声信号を再度聞くこととなる。従って、ユーザは、情報データの取得状況を把握すると共に、聴覚で認識した音声に、この音声を媒体とした情報データが含まれていることを認識することが可能となる。また、ユーザに対して、より深い印象を与え、情報データの利用に対する興味を駆り立てることが可能となる。
【００５１】
また、実施形態に係る情報受信通知装置１では、通知音データ記憶部２６に予め記憶されている通知音を所定の通知音として出力することができる。このため、ユーザは容易に情報データの取得状況を把握することができる。
【００５２】
また、実施形態に係る情報受信通知装置１では、データ取得状況判断部１４が情報データ４０の取得開始を判断したときに、通知音出力部２５は、その旨を通知するための通知音を出力する。このため、ユーザは、聞こえている音声の中に情報データが含まれていることを認識できる。
【００５３】
また、実施形態に係る情報受信通知装置１では、データ取得状況判断部１４が情報データ４０の取得完了を判断したときに、通知音出力部２５は、その旨を通知するための通知音を出力する。このため、ユーザは情報データの取得が完了したことを認識することができる。
【００５４】
また、実施形態に係る情報受信通知装置１では、データ取得状況判断部１４が情報データ４０の取得失敗を判断したときに、通知音出力部２５は、その旨を通知するための通知音を出力する。このため、ユーザは情報データの取得に失敗したことを認識することができる。その結果、合成音声をより取得しやすい場所に移動することを、ユーザに促すことが可能となる。
【００５５】
また、情報データを構成する複数のフレームデータを変調して生成した変調フレームデータが繰り返して送信される場合において、実施形態に係る情報受信通知装置１では、データ取得状況判断部１４が、複数のフレームデータのすべてを取得していないときに、既に取得したフレームデータと同一のフレームデータを重複して取得したことを判断したときには、通知音出力部２５は、情報データの取得に失敗した旨を通知するための通知音を出力する。このため、ユーザは、情報データの取得に失敗したことを認識することができる。
【符号の説明】
【００５６】
１…情報受信通知装置、１０…集音部、１１…復調部、１２…通知制御部、１３…フレームデータ記憶部、１４…データ取得状況判断部、１５…プライオリティ判断部、１６…データ重複判断部、１７…ジャンル判断部、１８…録音部、１９…通知音判定部、２０…表示画面判定部、２１…情報データ格納部、２２…嗜好ジャンル記憶部、２３…通知音テーブル、２４…表示画面テーブル、２５…通知音出力部、２６…通知音データ記憶部、２７…表示制御部、２８…表示データ記憶部、２９…スピーカ、３０…表示部、４０…情報データ。
【図１】
2011076111.tif 000003
【図２】
2011076111.tif 000004
【図３】
2011076111.tif 000005
【図４】
2011076111.tif 000006
【図５】
2011076111.tif 000007
【図６】
2011076111.tif 000008
【図７】
2011076111.tif 000009
【図８】
2011076111.tif 000010
【図９】
2011076111.tif 000011
【図１０】
2011076111.tif 000012
【図１１】
2011076111.tif 000013